【事件の表示】
　特願２０００−５５３９０８「監視システム」拒絶査定不服審判事件〔平成１１年１２月１６日国際公開、ＷＯ９９／６４９７４、平成１４年　６月１８日国内公表、特表２００２−５１７８６５〕について、次のとおり審決する。
【結　論】
　本件審判の請求は、成り立たない。
【理　由】
１．手続の経緯
　本願は、１９９８年６月８日を国際出願日とする出願であって、平成１６年５月１７日付で拒絶査定がされ、これに対し、同年８月２５日に拒絶査定不服審判が請求されたものである。
　
２．本願発明
　本願の請求項１ないし１０に係る発明は、平成１６年４月２１日付の手続補正書により補正された明細書及び図面の記載からみて、その特許請求の範囲の請求項１ないし１０に記載されたとおりのものと認められるところ、その請求項１に記載された発明（以下、「本願発明」という。）は次のとおりである。
　
　「固有の識別コードを有するラジオ周波数識別装置が取り付けられた多数の借出し可能品目を備え、さらに、各ライブラリ品目の位置の表示を格納したデータベースと、借出し品目返却位置と、並びに、前記ライブラリ位置から離間した様々な地理的位置に位置する多数の返却ステーションとに接続された処理装置を備えた監視システムであって、前記借出し品目返却位置と返却ステーションは、借出し品目を挿入可能な容器を有し、該容器はラジオ周波数識別装置が取り付けられたライブラリ品目の挿入を検出するアンテナを有し、前記借出し品目返却位置は、該容器内へのライブラリ品目の挿入に応じて、前記識別コードを検出し、この返却されたライブラリ品目に対応する前記識別コードを前記処理装置に送り、前記処理装置は、前記受け取った識別コードに応じて、その返却されたライブラリ品目がライブラリに返却されたことを示すべく、前記データベース上のその返却されたライブラリ品目に関する情報を更新し、前記返却位置又は返却ステーションが、前記ライブラリ品目が前記容器に挿入されていることを検出した時に、前記返却位置又は返却ステーションもまた、その品目が返却されている位置を示すべく前記処理装置に信号を送る監視システム。」
　
３．引用例
　［第１引用例］
　原査定の拒絶の理由に引用された、特開平８−１０８９２７号公報（以下、「第１引用例」という。）には、次の事項が図面と共に記載されている。
　
（ａ）「この発明は、例えば多量の図書を保管する大型図書館等に使用して好適する図書仕分け装置に係り、特にその多量の図書の返却に要する作業の能率向上を図るようにしたものに関する。」（段落【０００１】）
（ｂ）「以下、この発明の一実施例について図面を参照して詳細に説明する。図１は、この実施例で説明する図書仕分けシステムの全体的な構成を示している。まず、概略的に説明すると、図中符号１１は図書自動返却用の受付部で、例えば図書館内における利用者カウンターの近傍等に設置されている。そして、利用者は、返却すべき図書を受付部１１に、指定された向きに投入することで、図書館員の手を煩わせることなく、図書の返却が自動的に行なえるようになっている。」（段落【００１０】）
（ｃ）「すなわち、この受付部１１に投入された図書は、返却コンベア１２及び搬送コンベア１３を順次介して仕分け機構１４に搬送され、例えば分類別に自動仕分けされる。なお、図書が返却コンベア１２及び搬送コンベア１３によって搬送されている間に、図書に付されたバーコードが読み取られ、図書の返却手続きの処理が完了されるようになっている。
　そして、上記仕分け機構１４は、略楕円形のループ状に配列された複数（図示の場合は１４個）の受台１５，１５，……を有している。この複数の受台１５，１５，……は、受台搬送機構１６により、配列されたループ形状に沿って図中矢印で示す方向に循環移動されるようになっている。
　ここで、この複数の受台１５，１５，……は、受台搬送機構１６によって循環移動されることにより、順次上記搬送コンベア１３の搬出口１３ａに対応する位置に移動される。そして、搬送コンベア１３の搬出口１３ａに対応する位置に移動されている受台１５に、搬送コンベア１３によって搬送されてきた図書が搭載されるようになっている。
　また、複数の受台１５，１５，……のうち、相互に対向して直線的に配列される位置に循環移動された、１２個の受台１５，１５，……にそれぞれ対応する位置には、図書集積箱１７，１７，……が設置されている。これら複数の図書集積箱１７，１７，……は、それぞれが相互に異なる分類の図書を複数冊収容し得るもので、自己に対応する位置に循環移動された受台１５に搭載された図書が、該受台１５から移し変えられて収容されるものである。
　このため、受付部１１に投入された返却すべき図書は、返却コンベア１２及び搬送コンベア１３により搬送されている間に返却手続きの処理が完了された後、搬送コンベア１３の搬出口１３ａに対応する位置に既に循環移動されている空の受台１５に搭載される。そして、この受台１５が、その搭載している図書を収容すべき図書集積箱１７に対応する位置に循環移動されたとき、受台１５に搭載されている図書が図書集積箱１７に移し変えられ、ここに、返却された図書が分類別に仕分けられることになる。」（段落【００１１】〜【００１５】）
（ｄ）「ここで、図３に示すように、図書２４には、その表紙２４ａ内の規定された範囲として例えば図中右下隅等に、図書２４の識別用のバーコードラベル２５が貼着されている。また、図書２４には、その表示２４ａ内の背表紙２４ｂに近い側に、無断持ち出し防止用の着磁片２６が添付されている。この着磁片２６は、図書２４が正規の貸し出し手続きを経て貸し出されるとき消磁され、返却されたとき着磁されるようになっている。」（段落【００２２】）
（ｅ）「ここで、返却コンベア１２の図中上方には、図書検出器２９とバーコードリーダ３０とが設置されており、図書検出器２９によって図書２４の存在が検出されたとき、バーコードリーダ３０によって図書２４に付されたバーコードラベル２５が読み取られる。」（段落【００２５】）
（ｆ）「また、バーコードリーダ３０がバーコードラベル２５を読み取ることができた場合には、読み取ったバーコードが上記制御システムに送出されることで、その図書２４に対する貸し出しファイルの登録が抹消され、ここに、返却手続が完了される。その後、返却コンベア１２が、図書２４をさらに搬送コンベア１３側に向けて搬送することにより、図書２４が搬送コンベア１３に移し変えられる。」（段落【００２７】）
（ｇ）「次に、図１３は、上記のような図書仕分けシステムを制御するための制御システムを示している。すなわち、図中６０は図書館用に開発されたホストコンピュータである。このホストコンピュータ６０は、保管している全ての図書２４，２４，……に対して、そのバーコードと図書名とを関連付けた蔵書ファイルや、貸し出し要求された図書２４のバーコードと利用者カードの識別コードとを関連付けて登録するための貸し出しファイル等を備えている。」（段落【００５５】）
　
　［第２引用例］
　原査定の拒絶の理由に引用された、特開平８−３６６２３号公報（以下、「第２引用例」という。）には、次の事項が図面と共に記載されている。
　
（ｈ）「従来、被検索物にタグを付しておき、上記タグを検索することにより上記被検索物を検索する方法が行われるようになってきた。このようにして用いられるタグには、装置本体から与えられる情報を処理する処理回路が設けられていて、上記装置本体から入力される情報に対する応答メッセージを上記装置本体側に返すようにしている。
　したがって、例えば、棚に置かれた多数のファイルに付されているタグに向けて、ＩＤコードを応えるように命令するコマンド信号を送信し、上記コマンド信号に対する応答を受信することにより、上記棚にあるファイルが何であるかを装置本体側において認識することができる。」（段落【０００２】〜【０００３】）
（ｉ）「次に、図２に従って本発明のタグ認識システムの実施例を説明する。図２に示したように、本実施例のタグ認識システムはタグ１、装置本体２および外部入力手段３により構成されている。なお、図２にはタグ１を１個しか示していないが、実際の認識においては数十〜数百のタグ１を認識するものである。
　上記タグ１には、通信手段１１、制御手段１２、応答手段１３、メモリ１４が設けられている。また、装置本体２には、通信手段２１、制御手段２２、応答動作開始コマンド信号生成手段２３、第１の応答命令コマンド信号生成手段２４、第２の応答命令コマンド信号生成手段２５、タグからの応答判断手段２６、応答禁止信号生成手段２７、応答命令コマンド回数管理手段２８、検出回数管理手段２９が設けられている。
　上記通信手段１１、２１は、タグ１と装置本体２との間において、被接触でデータの授受を行うようにするために設けられているものであり、本実施例においては後で詳述するように、装置本体２側からタグ１側に電力をも供給するようにしている。」（段落【００３６】〜【００３８】）
　
４．対比
（以下、第１引用例に記載された発明を「引用発明」という。）
　
（ア）引用発明の「多量の図書」は、本願発明の「多数の借出し可能品目」又は「ライブラリ品目」に相当する。
（イ）引用発明の「図書」には、該図書を識別するためのバーコードラベルが貼着されており（前掲（ｄ））、したがって前記「図書」は、本願発明の「固有の識別コード」を有する識別手段が取り付けられた「借出し可能品目」に相当する。
（ウ）引用発明は、保管している全ての図書に対して、そのバーコードと図書名とを関連づけた蔵書ファイル、及び貸し出し要求された図書のバーコードと利用者カードの識別コードとを関連づけて登録するための貸し出しファイル等をホストコンピュータに備えており（前掲（ｇ））、本願発明の「各ライブラリ品目の表示を格納したデータベース」に相当する構成を備えている。
（エ）引用発明は、図書自動返却用の受付部に、図書を投入すると、該図書が返却コンベア及び搬送コンベアを介して仕分け機構に搬送され、自動仕分けされることにより、図書の返却が自動的に行えるようになっており（前掲（ｃ））、本願発明の「借出し品目を挿入可能な容器を有」する「借出し品目返却位置」に相当する構成を備えている。
（オ）引用発明の「図書仕分けシステム」は、該システムを制御するための制御システムを備えており（前掲（ｇ））、該「制御システム」は、本願発明の「処理装置」に相当する。
（カ）引用発明においては、返却コンベアの上方に、図書検出器とバーコードリーダが設置されており、受付部に図書を投入し、前記図書検出器によって図書の存在が検出されたとき、前記バーコードリーダにより、図書に付されたバーコードラベルが読み取られ、該読み取ったバーコードを制御システムに送出しており（前掲（ｅ）、（ｆ））、前記「図書検出器」は、本願発明の「ライブラリ品目の挿入を検出する」装置に相当する。
　したがって、引用発明は、本願発明の「借出し品目を挿入可能な容器」が「ライブラリ品目の挿入を検出する装置を有」することに相当する構成、及び本願発明の「借出し品目返却位置」が「容器内へのライブラリ品目の挿入に応じて、識別コードを検出し、この返却されたライブラリ品目に対応する前記識別コードを処理装置に送」ることに相当する構成を備えている。
　また、引用発明は、前記図書検出器により図書の存在を検出した場合、所定の処理を行っているから、「監視システム」であるといえる。
（キ）引用発明においては、図書に付されたバーコードラベルをバーコードリーダにより読み取ることができた場合、読み取られたバーコードを制御システムに送出することにより、前記図書に対する貸し出しファイルの登録を抹消し、返却手続を完了する構成となっており（前掲（ｆ））、本願発明の「処理装置」が「受け取った識別コードに応じて、その返却されたライブラリ品目がライブラリに返却されたことを示すべく、データベース上のその返却されたライブラリ品目に関する情報を更新」することに相当する構成を備えている。
　
　したがって、本願発明と引用発明を対比すると、両者は、
　「固有の識別コードを有する識別手段が取り付けられた多数の借出し可能品目を備え、さらに、各ライブラリ品目の表示を格納したデータベースと、借出し品目返却位置とに接続された処理装置を備えた監視システムであって、前記借出し品目返却位置は、借出し品目を挿入可能な容器を有し、該容器は識別手段が取り付けられたライブラリ品目の挿入を検出する装置を有し、前記借出し品目返却位置は、該容器内へのライブラリ品目の挿入に応じて、前記識別コードを検出し、この返却されたライブラリ品目に対応する前記識別コードを前記処理装置に送り、前記処理装置は、前記受け取った識別コードに応じて、その返却されたライブラリ品目がライブラリに返却されたことを示すべく、前記データベース上のその返却されたライブラリ品目に関する情報を更新する監視システム。」である点で一致し、以下の点で相違する。
　
［相違点１］
　本願発明においては、多数の借出し可能品目に、固有の識別コードを有する「ラジオ周波数識別装置」が取り付けられており、前記借出し可能品目の容器への挿入をアンテナで検出しているのに対し、引用発明においては、多数の図書に、該図書を識別するためのバーコードラベルが貼着されており、また受付部に投入された図書の存在を図書検出器で検出するとともに、前記バーコードラベルをバーコードリーダで読み取っている点。
　
［相違点２］
　本願発明のデータベースが、各ライブラリ品目の「位置の表示」を格納しているのに対し、引用発明は、ホストコンピュータに、図書の位置を示す情報を格納したファイルを備えていない点。
　
［相違点３］
　本願発明においては、ライブラリ位置から離間した様々な地理的位置に位置し、借出し品目を挿入可能な容器を有する多数の「返却ステーション」が処理装置に接続されており、該返却ステーション又は返却位置が、ライブラリ品目が前記容器に挿入されていることを検出した時に、その品目が返却されている位置を示すべく前記処理装置に信号を送るのに対し、引用発明は、前記「多数の返却ステーション」に相当する構成、及び前記ライブラリ品目が返却されている位置を示す信号の送信に相当する構成を備えていない点。
　
５．判断
　上記相違点について検討する。
　
［相違点１について］
　本願出願前において、装置本体と非接触でデータの授受を行うタグ、すなわちラジオ周波数識別装置を、複数の物体に付しておき、前記ラジオ周波数識別装置に対して送信されたコマンド信号に対する応答を受信することにより、前記ラジオ周波数識別装置が付された物体が何であるかを認識することは、例えば上記第２引用例にみられるように周知の技術である（前掲（ｈ）、（ｉ））。
　さらに、自動物品貸出管理システムにおいて、書籍等の貸出物品に無線タグ、すなわちラジオ周波数識別装置を設け、貸出物品を図書館等の所定の領域から貸出あるいは返却するのを管理することも、例えば特開平９−２１２５６４号公報の段落【００２０】及び【００３０】にみられるように、当業者に周知の技術である。
　引用発明においては、多数の図書に、該図書を識別するためのバーコードラベルを貼着しており、該バーコードラベルをバーコードリーダで読み取っているが、前記図書を識別するための手段として、前記バーコードラベル及びバーコードリーダに代えて、周知のラジオ周波数識別装置、及び該ラジオ周波数識別装置からの情報を受信するためのアンテナを用いることは、当業者が必要に応じて適宜採択し得る設計事項にすぎない。
　
［相違点２について］
　ＩＤタグ装置管理システムにおいて、ＩＤタグ装置が付された物の所在を監視し、前記物の位置に関する情報を記憶装置に登録し、更新することは、当業者に周知の技術である。例えば、特開平７−２３０５６３号公報には、「本発明は，人または物の所在を監視する所在監視システムに係わり、特に人または物に付されたＩＤタグ装置によりその所在を監視するＩＤタグ装置管理システムに関する。例えば、航空機で搬送された旅客荷物を到着時に受け取るような場合に、荷物に装着させたＩＤタグ装置により乗客に荷物の位置を通知することを管理するようなシステムに利用する。」（段落【０００２】）、及び「管理装置４０は、（途中省略）前記ＩＤタグ装置１０からのＩＤ通知信号１１０を受信する受信部４０ｆと、ベルトコンベア１３０の各区画８０毎の境界に設けられた各区画目印９０を読み取る区画読取センサー部６０とその読取部４０ｇと、受信したＩＤ通知信号１１０中の「ＩＤ情報」を該センサーの読み取った「区画番号情報」と共に、区画８０毎の記憶領域に登録し、区画内ＩＤ検出部４０’から転送された更新情報１７０に基づき登録した情報を更新する登録・更新部４０ｈと、（途中省略）とを備えている。」（段落【００２５】）と記載されている。
　引用発明は、図書返却時に読み取られたバーコードが制御システムに送出されて、前記図書に対する貸し出しファイルの登録が抹消される構成となっており（前掲（ｆ））、図書が返却されたか否か、すなわち図書が図書館内にあるか否かを示す情報をデータベースに格納し更新している。
　したがって、引用発明に前記周知技術を適用して、図書の現在位置を示す情報をファイルに格納しておき、図書の返却又は移動に伴い前記情報を更新するように構成することは、当業者が容易に想到し得たものと認められる。
　
［相違点３について］
　ＩＤタグ装置管理システムにおいて、ＩＤタグ装置が付された人又は物の所在を監視し、前記人又は物の位置に関する情報を管理装置に送信することは、例えば前掲特開平７−２３０５６３号公報にみられるように、当業者に周知の技術である。
　さらに、図書館情報システムにおいて、資料の所蔵館とは別に返却処理可能な他の場所を設け、資料の返却に伴い該返却された資料の現在場所に関する情報の更新を行うことは、当業者に周知の技術である。例えば、「ＣＳＰ／ＦＸ　ＩＬＩＳ／Ｘ−５０基本システム　使用手引書」、富士通株式会社、１９９１年３月３１日、第１版には、「資料の所蔵館と返却処理した館が異なれば、資料の現在場所を返却した館に変更します。資料検索の複本一覧ではこの現在場所が表示されますので、資料の所在場所が把握できます。」（７頁２５〜２７行）と記載されている。
　引用発明においても、図書返却に伴い該図書に対する貸し出しファイル上の情報を更新する構成となっており、引用発明に上記周知技術を適用して、図書館の他に図書の返却が可能な複数の場所を設け、いずれかの場所に図書が返却された場合、返却された位置を示す情報を制御システムに送信する、相違点３に係る構成とすることは、当業者が容易に想到し得たものと認められる。
　
　そして、本願発明の奏する作用効果も、引用発明及び周知技術の奏する作用効果から当業者が予測できる以上の格別のものとも認められない。
　
６．むすび
　以上のとおり、本願発明は、引用例に記載された発明に基づいて、当業者が容易に発明をすることができたものであるから、特許法第２９条第２項の規定により特許を受けることができない。
　したがって、本願は、他の請求項に係る発明について検討するまでもなく、拒絶されるべきものである。
　よって、結論のとおり審決する。